(57)【特許請求の範囲】
【請求項１】
ＯＬＴ（Ｏｐｔｉｃａｌ  Ｌｉｎｅ  Ｔｅｒｍｉｎａｌ）とＯＮＵ（Ｏｐｔｉｃａｌ  Ｎｅｔｗｏｒｋ  Ｕｎｉｔ）が１心の通信用光ファイバで接続されている光通信システムであって、
前記通信用光ファイバのうちの前記ＯＬＴ付近に配置され、前記通信用光ファイバで伝搬される光を、測定用の光ファイバに分岐するとともに、前記測定用の光ファイバからの光を前記通信用光ファイバに合波する光カプラと、
前記測定用の光ファイバに接続され、前記ＯＮＵに向けてパルス光を出力して前記通信用光ファイバからの戻り光の光強度を測定するＯＴＤＲ（Ｏｐｔｉｃａｌ  Ｔｉｍｅ  Ｄｏｍａｉｎ  Ｒｅｆｌｅｃｔｏｍｅｔｅｒ）と、
前記測定用の光ファイバに接続され、前記ＯＮＵに向けて変調光を出力する心線対照光源と、
前記測定用の光ファイバに接続され、接続されている前記ＯＮＵから識別子を取得し、取得した識別子と予め記憶されている識別子とを照合するモニタ装置と、
を備える光通信システム。
【請求項２】
前記光通信システムは、前記通信用光ファイバで接続されている前記ＯＬＴ及び前記ＯＮＵの組を複数備え、
前記光カプラは、前記通信用光ファイバのそれぞれに設けられ、前記通信用光ファイバで伝搬される光を、それぞれ異なる前記測定用の光ファイバに分岐し、
前記測定用の光ファイバのうちの任意の光ファイバと前記ＯＴＤＲ、前記心線対照光源及び前記モニタ装置とを接続可能な測定用光ファイバ切替光スイッチを備える
ことを特徴とする請求項１に記載の光通信システム。
【請求項３】
前記測定用の光ファイバで伝搬される光を、前記ＯＴＤＲ及び前記心線対照光源と前記モニタ装置とに分岐するモニタ用光カプラをさらに備える
ことを特徴とする請求項１又は２に記載の光通信システム。
【請求項４】
ＯＬＴとＯＮＵが１心の通信用光ファイバで接続され、前記通信用の光ファイバに挿入された光カプラから分岐された測定用の光ファイバに心線対照光源及びＯＴＤＲが接続されている光通信システムの接続状態判定方法であって、
前記測定用の光ファイバに接続されたモニタ装置が、前記ＯＮＵから識別子を取得し、取得した識別子と予め記憶されている識別子とを照合するとともに、
前記心線対照光源が、前記ＯＮＵに向けて変調光を出力する心線対照光出力手順と、
前記通信用光ファイバのうちの前記光カプラよりも前記ＯＮＵ側の光ファイバを切断して、経路の異なる新たな前記通信用光ファイバと接続する経路変更手順と、
前記モニタ装置が、前記ＯＮＵから識別子を取得し、取得した識別子と予め記憶されている識別子とを照合するとともに、
前記ＯＴＤＲが、前記ＯＮＵに向けてパルス光を出力して前記通信用光ファイバからの戻り光の光強度を測定するＯＴＤＲ測定手順と、
を順に有する光通信システムの接続状態判定方法。
【請求項５】
ＯＬＴとＯＮＵが１心の通信用光ファイバで接続され、前記通信用の光ファイバに挿入された光カプラから分岐された測定用の光ファイバに心線対照光源及びＯＴＤＲが接続されている光通信システムの接続状態判定方法であって、
前記測定用の光ファイバに接続されたモニタ装置が、前記ＯＮＵから識別子を取得し、取得した識別子と予め記憶されている識別子とを照合するとともに、
前記心線対照光源が、前記ＯＮＵに向けて変調光を出力する心線対照光出力手順と、
前記通信用光ファイバのうちの前記光カプラよりも前記ＯＮＵ側の光ファイバを切断して、前記ＯＬＴとは異なる新たなＯＬＴに接続された新たな通信用光ファイバと接続するＯＬＴ変更手順と、
前記新たな通信用光ファイバに挿入された光カプラから分岐された測定用の光ファイバに接続されているモニタ装置が、前記ＯＮＵから識別子を取得し、取得した識別子と予め記憶されている識別子とを照合するとともに、
前記新たな通信用光ファイバに挿入された光カプラから分岐された測定用の光ファイバに接続されているＯＴＤＲが、前記ＯＮＵに向けてパルス光を出力して前記通信用光ファイバからの戻り光の光強度を測定するＯＴＤＲ測定手順と、
を順に有する光通信システムの接続状態判定方法。
【請求項６】
光通信システムは、前記通信用光ファイバで接続されている前記ＯＬＴ及び前記ＯＮＵの組を複数備え、
前記通信用光ファイバのそれぞれに設けられた光カプラからそれぞれ異なる前記測定用の光ファイバに分岐して当該測定用の光ファイバを測定用光ファイバ切替光スイッチと接続し、前記測定用光ファイバ切替光スイッチを切り替えることによって前記測定用の光ファイバのうちのいずれかを選択する心線選択手順を、前記心線対照光出力手順の前にさらに有する
ことを特徴とする請求項４又は５に記載の光通信システムの接続状態判定方法。
【発明の詳細な説明】
【技術分野】
【０００１】
本発明は、ＯＮＵ（Ｏｐｔｉｃａｌ  Ｎｅｔｗｏｒｋ  Ｕｎｉｔ）とＯＬＴ（Ｏｐｔｉｃａｌ  Ｌｉｎｅ  Ｔｅｒｍｉｎａｌ）が通信用光ファイバで接続された光通信システム及び当該光通信システムの接続状態判定方法に関し、特に光ケーブルルートの切替作業時に切替対象となる通信用光ファイバを特定する心線対照と接続点を評価するＯＴＤＲ（Ｏｐｔｉｃａｌ  Ｔｉｍｅ  Ｄｏｍａｉｎ  Ｒｅｆｌｅｃｔｏｍｅｔｅｒ）測定を行う光通信システム及び接続状態判定方法に関する。
【背景技術】
【０００２】
近年、光アクセスサービスの増加と光サービスエリアの拡大に伴い、光設備量が増加しており、道路工事等に伴い光ケーブルルートを変更する支障移転工事も増大している。また、併せて通信設備ビル内の光ケーブルルートを変更する収容替え工事についても増大している。
【０００３】
支障移転工事又は収容替え工事では、切替え先の光ケーブルを敷設後、切替え元となる通信用光ファイバを特定し、当該通信用光ファイバの切断および切替え先の通信用光ファイバと接続する心線切替作業を行い、接続作業後に正しく接続されたかについて試験を行う（例えば、非特許文献１乃至３参照。）。
【０００４】
心線切替作業の際、切替え元となる通信用光ファイバを特定するには、通信設備ビルから切替え元の通信用光ファイバに対して、通信波長より長波長側（例えば１６５０ｎｍ帯）で変調（例えば２７０Ｈｚ）した変調光を挿入し、屋外切替え地点において、心線対照器の受信部の曲げ部を用いて通信に影響を与えない程度に通信用光ファイバを曲げると、通信用光ファイバから変調光が漏洩するので、受信部の受光部で漏洩光の有無を判定することにより、該当する通信用光ファイバであることを特定することができる。
【０００５】
また、屋外の切替え地点での接続作業後に接続点の接続試験を行う際、ＯＴＤＲと呼ばれる光測定器を用い、通信設備ビルからパルス光を出力して接続点の接続損失及び反射減衰量を測定し、正常性確認端末１８によって各測定値が規格値以内に収まり正しく接続されていることの確認を行う。
【０００６】
以下に、支障移転工事の場合と、収容替え工事の場合の作業手順についてそれぞれ説明する。
まず、支障移転工事の際の作業手順について図１５を用いて説明する。ＯＬＴ９２とＯＮＵ９１の間は通信が行われている。また、通信設備ビル９０内には光カプラ１１が設置されており、通信光ＬＣを取り出したり、ＯＴＤＲ１３−２からのパルス光ＬＰや心線対照用光源（ＬＳ：Ｌｉｇｈｔ  Ｓｏｕｒｃｅ）１３−１からの変調光ＬＭを挿入したりすることができる。また、支障移転先の通信用光ファイバ９４は作業現場Ａと作業現場Ｂとの間にあらかじめ敷設されている。
【０００７】
支障移転工事を行う際、まず、通信設備ビル９０から切替対象の通信用光ファイバ９３に対して心線対照用光源１３−１により変調光ＬＭを送出する。通信設備ビル９０から遠方である作業現場Ｂで切替対象の通信用光ファイバ９３を曲げて、変調光ＬＭの漏洩光をＩＤテスタ（受信部）で受信することで該当通信用光ファイバ９３であることを特定後、該当通信用光ファイバ９３を切断する。併せて、通信設備ビル９０から切替対象の通信用光ファイバ９３に対してＯＴＤＲを用いて該当通信用光ファイバ９３が切断されたことを確認する。
【０００８】
次に、通信設備ビル９０から切替対象の通信用光ファイバ９３に対して心線対照光源１３−１により変調光ＬＭを送出する。作業現場Ａで、先に作業現場Ｂにおいて行ったと同様に、切替対象の通信用光ファイバ９３を曲げて、漏洩光をＩＤテスタ（受信部）で受信することで該当通信用光ファイバ９３であることを特定後、該当通信用光ファイバ９３を切断する。併せて、先に作業現場Ｂで行った確認作業と同様に、通信設備ビル９０から切替対象の通信用光ファイバ９３に対してＯＴＤＲ１３−２を用いて該当通信用光ファイバ９３が切断されたことを確認する。
【０００９】
次に、作業現場Ａ及び作業現場Ｂにおいてそれぞれ支障移転先の通信用光ファイバ９４との接続作業を行い、接続作業完了後、通信設備ビル９０から切替対象の通信用光ファイバ９４に対してＯＴＤＲ１３−２を用いて該当通信用光ファイバ９４の接続点の接続損失及び反射減衰量を測定し、各測定値が規格値以内に収まり正しく接続されていることの確認を行う。
【００１０】
次に、収容替え工事の際の作業手順について図１６を用いて説明する。作業者は、通信設備ビル９０内、作業現場Ａにそれぞれ配置されている。ＯＬＴ９２とＯＮＵ９１の間は通信が行われている。また、通信設備ビル９０内には光カプラ１１が設置されており、通信光ＬＣを取り出したり、ＯＴＤＲ１３−２からのパルス光ＬＰや心線対照用光源１３−１からの変調光ＬＭを挿入したりすることができる。また、収容替え先の通信用光ファイバ９３ＮはＯＬＴ９２Ｎと作業現場Ａとの間にあらかじめ敷設されている。
【００１１】
収容替え工事を行う際、まず、通信設備ビル９０から切替対象の通信用光ファイバ９３に対して心線対照用光源１３−１により変調光ＬＭを送出する。作業現場Ａで切替対象の通信用光ファイバ９３を曲げて、変調光ＬＭの漏洩光をＩＤテスタ（受信部）で受信することで該当通信用光ファイバ９３かを特定後、該当通信用光ファイバ９３を切断する。併せて、通信設備ビル９０から切替対象の通信用光ファイバ９３に対してＯＴＤＲ１３−２を用いて該当通信用光ファイバ９３が切断されたことを確認する。
【００１２】
次に、作業現場Ａにおいて収容替え先通信用光ファイバ９３Ｎと切替を行い、接続完了後、通信設備ビル９０から切替対象の通信用光ファイバ９３Ｎに対してＯＴＤＲ１３−２を用いて該当通信用光ファイバの接続点の接続損失及び反射減衰量を測定し、各測定値が規格値以内に収まり正しく接続されていることの確認を行う。
【先行技術文献】
【非特許文献】
【００１３】
【非特許文献１】有居正仁，東裕司，榎本圭高，鈴木勝晶，荒木則幸，宇留野重則，渡邉常一，“拡大する光アクセス網を支える光媒体網運用技術”，ＮＴＴ技術ジャーナル，ｐｐ．５８−６１，２００６．１２
【非特許文献２】鈴木勝晶，山本素，夏目新，“Ｒ１５心線に対応した光ファイバ心線対照技術”，ＮＴＴ技術ジャーナル，ｐｐ．５４−５５，２００７．４
【非特許文献３】磯村毅，嶌津聡志，藤本幸洋，片岡広樹，“支障移転等の切替工事で通話中確認を実現するＦＴＴＨ区間通信モニタ技術”，ＮＴＴ技術ジャーナル，ｐｐ．４０−４２，２００９．５
【発明の概要】
【発明が解決しようとする課題】
【００１４】
支障移転工事等において光ケーブルの切り替え工事を実施する際には、心線対照による切替対象光ファイバの特定、対象光ファイバの切断、ＯＴＤＲ測定による切断確認、移転先光ファイバへの接続、ＯＴＤＲ測定による移転先光ファイバへの接続確認といった作業手順となる。
【００１５】
支障移転時は、作業手順の中の対象通信用光ファイバの切断と移転先の通信用光ファイバへの接続については、作業現場Ａ及び作業現場Ｂにおいて、４心や８心の光ファイバを並べた光ファイバテープ構造となっている通信用光ファイバの４心もしくは８心を一括して切断及び接続することとなる。４心光ファイバテープのファイバの例を図１７に示す。
【００１６】
ここで、光ファイバテープは１番心線と４番心線もしくは８番心線には着色が施され識別可能となっている。しかし、切断や接続を行う作業現場は主にマンホールの中になり、当該作業環境は地下であることから暗いために識別し難く、誤って光ファイバテープの向き（表裏）を反対に接続してしまうことがある。
【００１７】
誤って接続された場合であっても、通信設備ビル９０から接続点までの光ファイバ長は１番心線と４番心線もしくは８番心線はほぼ同程度の長さであるため、ＯＴＤＲ１３−２を用いた接続試験においても誤接続となっていることを判断することができなかった。
【００１８】
一方、ユーザ宅に設置されているＯＮＵ９１からの信号を受信し、ＭＡＣアドレスを表示する機能を具備しており、ＯＮＵ９１からの通信光ＬＣに載せられた上り信号フレームをモニタして、各ＯＮＵ９１とＯＬＴ９２間のリンク確立状況、インターネットやひかり電話の利用状況をＯＮＵ９１単位で判定する機能を持つ装置（以下「モニタ装置」と記載）がある（例えば、非特許文献３参照。）。
【００１９】
モニタ装置を使用することにより、ユーザのサービス利用状況を確認することができることから、切替工事においては、ユーザの通信中のサービスを誤って切断してしまうことを回避することができるが、モニタを行う際には、接続されているＯＴＤＲ１３−２またはＬＳ１３−１と、正常性を確認するための端末を取り替えながら実施する必要がある。
【００２０】
また、モニタ装置の光カプラ１１への接続はＭＴコネクタ接続となっており、モニタ装置を接続する際にも切替対象心線毎にＭＴコネクタで接続する必要があり、切替対象心線が複数ある場合は切替作業毎にＭＴコネクタの接続作業が生じ、大変煩雑となっている。
【００２１】
そこで、本発明は、心線対照及び通信モニタを同時に行うとともにＯＴＤＲ測定及び通信モニタを同時に行うことができ、測定器を作業手順に準じて接続替えする必要のない光通信システム及び接続状態判定方法の提供を目的とする。
【課題を解決するための手段】
【００２２】
上記目的を達成するために、本願発明の光通信システムは、ＯＬＴ（Ｏｐｔｉｃａｌ  Ｌｉｎｅ  Ｔｅｒｍｉｎａｌ）とＯＮＵ（Ｏｐｔｉｃａｌ  Ｎｅｔｗｏｒｋ  Ｕｎｉｔ）が１心の通信用光ファイバで接続されている光通信システムであって、前記通信用光ファイバのうちの前記ＯＬＴ付近に配置され、前記通信用光ファイバで伝搬される光を、測定用の光ファイバに分岐するとともに、前記測定用の光ファイバからの光を前記通信用光ファイバに合波する光カプラと、前記測定用の光ファイバに接続され、前記ＯＮＵに向けてパルス光を出力して前記通信用光ファイバからの戻り光の光強度を測定するＯＴＤＲと、前記測定用の光ファイバに接続され、前記ＯＮＵに向けて変調光を出力する心線対照光源と、前記測定用の光ファイバに接続され、接続されている前記ＯＮＵから識別子を取得し、取得した識別子と予め記憶されている識別子とを照合するモニタ装置と、を備える。
【００２３】
ＯＴＤＲ、心線対照光源及びモニタ装置が共通の測定用の光ファイバに接続されているため、心線対照及び通信モニタを同時に行うとともにＯＴＤＲ測定及び通信モニタを同時に行うことができる。さらに、ＯＴＤＲと心線対照光源とが共通の測定用の光ファイバに接続されているため、測定器を作業手順に準じて接続替えする必要がない。したがって、本願発明は、心線対照及び通信モニタを同時に行うとともにＯＴＤＲ測定及び通信モニタを同時に行うことができ、測定器を作業手順に準じて接続替えする必要のない光通信システムを提供することができる。
【００２４】
本願発明の光通信システムでは、前記光通信システムは、前記通信用光ファイバで接続されている前記ＯＬＴ及び前記ＯＮＵの組を複数備え、前記光カプラは、前記通信用光ファイバのそれぞれに設けられ、前記通信用光ファイバで伝搬される光を、それぞれ異なる前記測定用の光ファイバに分岐し、前記測定用の光ファイバのうちの任意の光ファイバと前記ＯＴＤＲ、前記心線対照光源及び前記モニタ装置とを接続可能な測定用の光ファイバ切替光スイッチを備えていてもよい。
複数の通信用光ファイバと接続されている測定用光ファイバ切替光スイッチを備えるため、複数の通信用光ファイバの試験を共通のＯＴＤＲ、心線対照光源及びモニタ装置を用いて行うことができる。
【００２５】
本願発明の光通信システムでは、前記測定用の光ファイバで伝搬される光を、前記ＯＴＤＲ及び前記心線対照光源と前記モニタ装置とに分岐するモニタ用光カプラをさらに備えていてもよい。
パルス光及び変調光と通信光とは波長が異なるため、モニタ用光カプラを用いることで、カプラ挿入による損失低下を防ぐことができる。
【００２６】
上記目的を達成するために、本願発明の接続状態判定方法は、ＯＬＴとＯＮＵが１心の通信用光ファイバで接続され、前記通信用光ファイバに挿入された光カプラから分岐された測定用の光ファイバに心線対照光源及びＯＴＤＲが接続されている光通信システムの接続状態判定方法であって、前記測定用の光ファイバに接続されたモニタ装置が、前記ＯＮＵから識別子を取得し、取得した識別子と予め記憶されている識別子とを照合するとともに、前記心線対照光源が、前記ＯＮＵに向けて変調光を出力する心線対照光出力手順と、前記通信用光ファイバのうちの前記光カプラよりも前記ＯＮＵ側の光ファイバを切断して、経路の異なる新たな前記通信用光ファイバと接続する経路変更手順と、前記モニタ装置が、前記ＯＮＵから識別子を取得し、取得した識別子と予め記憶されている識別子とを照合するとともに、前記ＯＴＤＲが、前記ＯＮＵに向けてパルス光を出力して前記通信用光ファイバからの戻り光の光強度を測定するＯＴＤＲ測定手順と、を順に有する。
【００２７】
ＯＴＤＲ、心線対照光源及びモニタ装置が共通の測定用の光ファイバに接続されているため、心線対照光出力手順において心線対照及び通信モニタを同時に行うことができるとともに、ＯＴＤＲ測定手順においてＯＴＤＲ測定及び通信モニタを同時に行うことができる。さらに、ＯＴＤＲと心線対照光源とが共通の測定用の光ファイバに接続されているため、心線対照光出力手順からＯＴＤＲ測定手順までの間に接続替えする必要がない。したがって、本願発明は、心線対照及び通信モニタを同時に行うとともにＯＴＤＲ測定及び通信モニタを同時に行うことができ、測定器を作業手順に準じて接続替えする必要のない光通信システムの接続状態判定方法を提供することができる。
【００２８】
上記目的を達成するために、本願発明の接続状態判定方法は、ＯＬＴとＯＮＵが１心の通信用光ファイバで接続され、前記通信用の光ファイバに挿入された光カプラから分岐された測定用の光ファイバに心線対照光源及びＯＴＤＲが接続されている光通信システムの接続状態判定方法であって、前記測定用の光ファイバに接続されたモニタ装置が、前記ＯＮＵから識別子を取得し、取得した識別子と予め記憶されている識別子とを照合するとともに、前記心線対照光源が、前記ＯＮＵに向けて変調光を出力する心線対照光出力手順と、前記通信用光ファイバのうちの前記光カプラよりも前記ＯＮＵ側の光ファイバを切断して、前記ＯＬＴとは異なる新たなＯＬＴに接続された新たな通信用光ファイバと接続するＯＬＴ変更手順と、前記新たな通信用光ファイバに挿入された光カプラから分岐された測定用の光ファイバに接続されているモニタ装置が、前記ＯＮＵから識別子を取得し、取得した識別子と予め記憶されている識別子とを照合するとともに、前記新たな通信用光ファイバに挿入された光カプラから分岐された測定用の光ファイバに接続されているＯＴＤＲが、前記ＯＮＵに向けてパルス光を出力して前記通信用光ファイバからの戻り光の光強度を測定するＯＴＤＲ測定手順と、を順に有する。
【００２９】
心線対照光出力手順と、ＯＬＴ変更手順と、ＯＴＤＲ測定手順と、を有するため、ＯＬＴ変更手順において所望の通信用光ファイバとは異なる通信用光ファイバと接続したか否かを判定することができる。ここで、ＯＴＤＲ、心線対照光源及びモニタ装置が共通の測定用の光ファイバに接続されているため、心線対照光出力手順において心線対照及び通信モニタを同時に行うことができるとともに、ＯＴＤＲ測定手順においてＯＴＤＲ測定及び通信モニタを同時に行うことができる。これにより、本願発明は、測定器を作業手順に準じて接続替えする必要のない光通信システムの接続状態判定方法を提供することができる。
【００３０】
本願発明の接続状態判定方法では、光通信システムは、前記通信用光ファイバで接続されている前記ＯＬＴ及び前記ＯＮＵの組を複数備え、前記通信用光ファイバのそれぞれに設けられた光カプラからそれぞれ異なる前記測定用の光ファイバに分岐して当該測定用の光ファイバを測定用光ファイバ切替光スイッチと接続し、前記測定用光ファイバ切替光スイッチを切り替えることにょって前記測定用の光ファイバのうちのいずれかを選択する心線選択手順を、前記心線対照光出力手順の前にさらに有してもよい。
心線選択手順を備えるため、複数の通信用光ファイバの試験を共通のＯＴＤＲ、心線対照光源及びモニタ装置を用いて行うことができる。
【００３１】
なお、上記各発明は、可能な限り組み合わせることができる。
【発明の効果】
【００３２】
本発明によれば、心線対照及び通信モニタを同時に行うとともにＯＴＤＲ測定及び通信モニタを同時に行うことができ、測定器を作業手順に準じて接続替えする必要のない光通信システム及び接続状態判定方法を提供することができる。
【図面の簡単な説明】
【００３３】
【図１】実施形態１に係る光通信システムの一例である。
【図２】心線対照光出力手順における実施形態１に係る光通信システムの一例である。
【図３】接続変更手順における実施形態１に係る光通信システムの第１の状態例である。
【図４】接続変更手順における実施形態１に係る光通信システムの第２の状態例である。
【図５】接続変更手順における実施形態１に係る光通信システムの第３の状態例である。
【図６】接続変更手順における実施形態１に係る光通信システムの第４の状態例である。
【図７】ＯＴＤＲ測定手順における実施形態１に係る光通信システムの一例である。
【図８】実施形態２に係る光通信システムの一例を示す。
【図９】実施形態３に係る光通信システムの一例を示す。
【図１０】心線対照光出力手順における実施形態３に係る光通信システムの一例である。
【図１１】ＯＬＴ変更手順における実施形態３に係る光通信システムの第１の状態例である。
【図１２】ＯＬＴ変更手順における実施形態３に係る光通信システムの第２の状態例である。
【図１３】実施形態４に係る光通信システムの一例を示す。
【図１４】実施形態５に係る光通信システムの一例を示す。
【図１５】従来の支障移転工事の際の作業手順を示す。
【図１６】従来の収容替え工事の際の作業手順を示す。
【図１７】誤接続が生じていた光通信システムの一例を示す。
【発明を実施するための形態】
【００３４】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００３５】
（実施形態１）
本実施形態に係る光通信システムについて、図１から図７を用いて具体的説明を行う。本実施形態に係る光通信システム及び接続状態判定方法は、支障移転工事での実施形態について説明する。
【００３６】
本実施形態に係る光通信システムは、ＯＮＵ９１と、ＯＬＴ９２と、通信用光ファイバ９３と、光カプラ１１と、測定用の光ファイバ１２と、光測定器１３と、モニタ装置１４と、を備える。ＯＬＴ９２とＯＮＵ９１が１心の通信用光ファイバ９３で接続されている光通信システムである。ＯＬＴ９２とＯＮＵ９１が１心の通信用光ファイバ９３で接続されている。光カプラ１１は、通信用光ファイバ９３のうちのＯＬＴ９２付近に配置され、通信用光ファイバ９３で伝搬される光を、測定用の光ファイバ１２に分岐するとともに、測定用の光ファイバ１２からの光を通信用光ファイバ９３に合波する。支障移転先の通信用光ファイバ９４は作業現場Ａ及び作業現場Ｂ間にあらかじめ敷設されている。
【００３７】
光測定器１３は、測定用の光ファイバ１２に接続され、ＯＴＤＲ及びＬＳとして機能する。光測定器１３は、ＯＴＤＲとして機能するときは、ＯＮＵ９１に向けてパルス光ＬＰを出力して通信用光ファイバ９３からの戻り光の光強度を測定する。光測定器１３は、心線対照光源として機能するときは、ＯＮＵ９１に向けて変調光ＰＭを出力する。通信光ＬＣの波長は、例えば、上り信号が１４９０ｎｍ、下り信号が１３１０ｎｍである。このとき、変調光ＬＭ及びパルス光ＬＰの波長は、例えば、保守波長である１６５０ｎｍを使用する。
【００３８】
作業者は図１に示すとおり、通信設備ビル９０内、作業現場Ａ、作業現場Ｂにそれぞれ配置されている。ＯＬＴ９２とＯＮＵ９１の間は通信が行われている。また、通信設備ビル９０内には光カプラ１１が設置されており、光カプラ１１に接続された測定用の光ファイバ１２から、通信光ＬＣを取り出したり、パルス光ＬＰ及び変調光ＰＭなどの試験光を挿入したりすることができる。
【００３９】
測定用の光ファイバ１２にはさらにモニタ用光カプラ１５が設置されている。モニタ用光カプラ１５は、測定用の光ファイバ１２で伝搬される光を、光測定器１３とモニタ装置１４とに分岐する。モニタ用光カプラ１５の分岐する一方に光測定器１３が接続され、モニタ用光カプラ１５の分岐する他方にはモニタ装置１４が接続されている。モニタ装置１４は、測定用の光ファイバ１２に接続され、接続されているＯＮＵ９１から識別子を取得し、取得した識別子と予め記憶されている識別子とを照合する。ＯＮＵ９１の識別子は、例えばＭＡＣアドレスである。ここで、モニタ用光カプラ１５は、波長依存性を持ち、１３１０ｎｍ帯はモニタ装置１４に、１６５０ｎｍ帯は光測定器１３に透過するタイプを使用することが好ましい。これにより、カプラ挿入による損失低下を防ぐことができる。
【００４０】
本実施形態に係る光通信システムの接続状態判定方法は、心線対照光出力手順と、接続変更手順と、ＯＴＤＲ測定手順と、を順に有する。支障移転工事を行う際、あらかじめ、モニタ装置１４で該当ＯＮＵ９１の識別子を取得するとともに、利用状況を確認しておく。
【００４１】
心線対照光出力手順では、測定用の光ファイバ１２に接続されたモニタ装置１４が、ＯＮＵ９１から識別子を取得し、取得した識別子と予め記憶されている識別子とを照合する。また、光測定器１３に備わる心線対照光源が、ＯＮＵ９１に向けて変調光ＬＭを出力する。例えば、図２に示すように、まず、通信設備ビル９０から変調光ＬＭを発光する。通信設備ビル９０から遠方である作業現場Ｂで通信用光ファイバ９３を曲げて、変調光ＬＭの漏洩光をＩＤテスタ（受信部）で受信することで該当通信用光ファイバ９３かを特定する。
【００４２】
接続変更手順では、通信用光ファイバ９３のうちの光カプラ１１よりもＯＮＵ９１側の通信用光ファイバ９３を切断して、経路の異なる新たな通信用光ファイバ９４と接続する。例えば、図３に示すように通信用光ファイバ９３を切断する。すると、モニタ装置１４には通信が断たれた状態であるという表示がされる。次に、図４に示すように、通信設備ビル９０から変調光ＬＭを発光する。作業現場Ａで同様に通信用光ファイバ９３を曲げて、変調光ＬＭの漏洩光をＩＤテスタ（受信部）で受信することで該当通信用光ファイバ９３を特定後、図５に示すとおり、該当通信用光ファイバ９３を切断する。次に図６に示すように、作業現場Ａ及び作業現場Ｂは支障移転先の通信用光ファイバ９４と接続を行う。
【００４３】
ＯＴＤＲ測定手順では、モニタ装置１４が、ＯＮＵ９１から識別子を取得し、取得した識別子と予め記憶されている識別子とを照合する。また、光測定器１３に備わるＯＴＤＲが、ＯＮＵ９１に向けてパルス光ＬＰを出力して通信用光ファイバ９３及び通信用光ファイバ９４からの戻り光の光強度を測定する。例えば、接続が完了すると、図７のように通信設備ビル９０のモニタ装置１４にＯＮＵ９１の識別子及び利用状況が表示される。また、光測定器１３は、パルス光ＬＰを出力して、通信用光ファイバ９３と通信用光ファイバ９４との接続点の接続損失や反射減衰量が規格値に収まっているかを判断する。
【００４４】
ここで、もし、図１７に示すとおり、テープが逆に接続された場合、モニタ装置１４は別のＯＮＵ９１の識別子を取得する。このため、モニタ装置１４は、正しく接続されていないことがわかる。このとき、モニタ装置１４には、ＯＮＵ９１の識別子が異なる旨を表示してもよいし、ＯＮＵ９１の識別子を表示しないこととしてもよい。
【００４５】
（実施形態２）
図８に、本実施形態に係る光通信システムの一例を示す。本実施形態に係る光通信システムは、通信用光ファイバ９３−ｉで接続されているＯＬＴ９２−ｉ及びＯＮＵ９１−ｉの組を複数備え、これらの組が共通の光測定器１３及びモニタ装置１４を備える。そのために、本実施形態に係る光通信システムは、光スイッチ２１と、コントローラ２２と、操作端末２３と、を備える。図８では、簡単のため、複数の通信用光ファイバ９３−ｉで接続されているＯＬＴ９２−ｉ及びＯＮＵ９１−ｉの組のうちの１つを代表して記載した。
【００４６】
光カプラ１１−ｉは、通信用光ファイバ９３−ｉのそれぞれに設けられ、通信用光ファイバ９３−ｉで伝搬される光を、それぞれ異なる測定用の光ファイバ１２−ｉに分岐する。各測定用の光ファイバ１２−ｉは、光スイッチ２１に接続されている。光スイッチ２１は、測定用の光ファイバ１２−ｉのうちの任意の光ファイバと光測定器１３及びモニタ装置とを接続可能となっている。これにより、光スイッチ２１と光測定器１３の間にモニタ用光カプラ１５を接続し、モニタ装置１４と接続することで、実施形態１と同様に切替工事を行うことができる。
【００４７】
コントローラ２２は、光スイッチ２１と光測定器１３を制御する。操作端末２３は、コントローラ２２を操作する。例えば、作業者が操作端末２３に通信用光ファイバ９３−ｉの識別番号ｋを入力すると、コントローラ２２は、複数の測定用の光ファイバ１２−ｉのうちのｋ番目と測定用の光ファイバ１２とを接続する旨の命令を光スイッチ２１に出力する。すると、光スイッチ２１は、測定用の光ファイバ１２−ｋと測定用の光ファイバ１２とを接続する。一方、作業者が操作端末２３にＯＴＤＲ又はＬＳのうちのＯＴＤＲを選択すると、コントローラ２２は、ＯＴＤＲ測定を行う旨の命令を光測定器１３に出力する。すると、光測定器１３は、パルス光ＬＰを出力する。このように、操作端末２３から、作業者が心線を選び試験を実施することで、光スイッチ２１が自動的に該当する心線を接続し、変調光の発光及びＯＴＤＲでの測定を行うことができる。
【００４８】
本実施形態の場合、試験心線選択に光スイッチ２１が使われているため、複数心線の切替作業でも極めて簡便に行うことができる。操作端末２３は通信設備ビル９０内に置かれなくともよいため、通信設備ビル９０外から容易に支障移転工事を行うことができる。
【００４９】
（実施形態３）
本実施形態に係る光通信システムについて、図９から図１２を用いて具体的説明を行う。本実施形態に係る光通信システム及び接続状態判定方法は、収容替え工事での実施形態について説明する。
【００５０】
作業者は図９に示すとおり、通信設備ビル９０内、作業現場Ａにそれぞれ配置されている。ＯＬＴ９２とＯＮＵ９１の間は通信が行われている。また、通信設備ビル９０内には光カプラ１１が接続されており、光カプラ１１に接続された測定用の光ファイバ１２から、通信光ＬＣを取り出したり、パルス光ＬＰ及び変調光ＰＭなどの試験光を挿入したりすることができる。
【００５１】
測定用の光ファイバ１２の一端にはさらにモニタ用光カプラ１５が設置されている。モニタ用光カプラ１５は、測定用の光ファイバ１２で伝搬される光を、光測定器１３とモニタ装置１４とに分岐する。モニタ用光カプラ１５の分岐する一方に光測定器１３が接続され、モニタ用光カプラ１５の分岐する他方にはモニタ装置１４が接続されている。
【００５２】
また、収容替え先の通信用光ファイバ９３Ｎは収容替え先のＯＬＴ９２Ｎ及び、作業現場Ａ間にあらかじめ敷設されており、通信が行われている通信用光ファイバ９３と同様に、通信設備ビル９０内には光カプラ１１Ｎが設置されており、さらに光カプラ１１Ｎの一端にはモニタ用光カプラ１５Ｎが設置されており、モニタ用光カプラ１５Ｎの一端に光測定器１３Ｎ、別の一端にはモニタ装置１４Ｎが接続されている。
【００５３】
本実施形態に係る光通信システムの接続状態判定方法は、心線対照光出力手順と、ＯＬＴ変更手順と、ＯＴＤＲ測定手順と、を順に有する。収容替え工事を行う際、あらかじめ、モニタ装置１４及びモニタ装置１４Ｎで該当ＯＮＵ９１の識別子を取得するとともに、利用状況を確認しておく。
【００５４】
心線対照光出力手順では、測定用の光ファイバ１２に接続されたモニタ装置１４が、ＯＮＵ９１から識別子を取得し、取得した識別子と予め記憶されている識別子とを照合する。また、光測定器１３に備わる心線対照光源が、ＯＮＵ９１に向けて変調光ＬＭを出力する。例えば、図１０に示すように、まず、通信設備ビル９０から変調光ＬＭを発光する。作業現場Ａで通信用光ファイバ９３を曲げて、変調光ＬＭの漏洩光をＩＤテスタ（受信部）で受信することで該当通信用光ファイバ９３かを特定する。
【００５５】
ＯＬＴ変更手順では、通信用光ファイバ９３のうちの光カプラ１１よりもＯＮＵ９１側の通信用光ファイバ９３を切断して、ＯＬＴ９２とは異なる新たなＯＬＴ９２Ｎに接続された新たな通信用光ファイバ９３Ｎと接続する。例えば、図１１に示すように該当通信用光ファイバ９３を切断する。すると、モニタ装置１４には通信が断たれた状態であると表示される。次に図１２に示すように、作業現場Ａは収容替え先通信用光ファイバ９３Ｎと接続を行う。
【００５６】
ＯＴＤＲ測定手順では、新たな通信用光ファイバ９３Ｎに挿入された光カプラ１１Ｎから分岐された測定用の光ファイバ１２Ｎに接続されているモニタ装置１４Ｎが、ＯＮＵ９１から識別子を取得し、取得した識別子と予め記憶されている識別子とを照合する。また、新たな通信用光ファイバ９３Ｎに挿入された光カプラ１１Ｎから分岐された測定用の光ファイバ１２Ｎに接続されている光測定器１３ＮのＯＴＤＲが、ＯＮＵ９１に向けてパルス光ＬＰを出力して通信用光ファイバ９３Ｎ及び通信用光ファイバ９３からの戻り光の光強度を測定する。例えば、通信用光ファイバ９３Ｎと通信用光ファイバ９３の接続が完了すると、通信設備ビル９０のモニタ装置１４ＮにＯＮＵ９１の識別子及び利用状況が表示される。また、光測定器１３Ｎは、パルス光ＬＰを出力して、通信用光ファイバ９３と通信用光ファイバ９３Ｎとの接続点の接続損失や反射減衰量が規格値に収まっているかを判断する。
【００５７】
（実施形態４）
図１３に、本実施形態に係る光通信システムの一例を示す。本実施形態に係る光通信システムは、実施形態２で説明した通信用光ファイバ９３−ｉで接続されているＯＬＴ９２−ｉ及びＯＮＵ９１−ｉの組を複数備える。例えば、通信用光ファイバ９３−ｉで接続されているＯＬＴ９２−ｉ及びＯＮＵ９１−ｉの組と、通信用光ファイバ９３−ｊで接続されているＯＬＴ９２−ｊ及びＯＮＵ９１−ｊの組と、を備える。図１３では、簡単のため、複数の通信用光ファイバ９３−ｉで接続されているＯＬＴ９２−ｉ及びＯＮＵ９１−ｉの組のうちの１つを代表して記載した。また、複数の通信用光ファイバ９３−ｊで接続されているＯＬＴ９２−ｊ及びＯＮＵ９１−ｊの組のうちの１つを代表して記載した。
【００５８】
そして、通信用光ファイバ９３−ｉの１つを、通信用光ファイバ９３−ｊの１つに収容替え工事を行う。このときに、これらの組が共通の光測定器１３及びモニタ装置１４を備える。そのために、本実施形態に係る光通信システムは、光スイッチ２１−１及び２１−２と、光スイッチ２４と、コントローラ２２と、操作端末２３と、を備える。
【００５９】
作業者が、複数の通信用光ファイバ９３−ｉのなかから１つを選んで操作端末２３に入力すると、光スイッチ２１−１が自動的に該当する測定用の光ファイバ１２−ｉを接続する。作業者が、複数の通信用光ファイバ９３−ｊのなかから、接続先の心線を１つ選んで操作端末２３に入力すると、光スイッチ２１−２が自動的に該当する測定用の光ファイバ１２−ｊを接続する。そして、コントローラ２２は、光測定器１３に、変調光ＬＭ及びパルス光ＬＰを出力させる。これにより、光スイッチ２１−１及び光スイッチ２１−２が自動的に該当する心線を接続し、変調光の発光及びＯＴＤＲでの測定を行うことができる。
【００６０】
光スイッチ２１−１及び光スイッチ２１−２と光測定器１３の間にモニタ用光カプラ１５が接続され、モニタ用光カプラ１５とモニタ装置１４が接続されている。このため、変調光ＬＭの発光及びＯＴＤＲでの測定すなわち心線対照及びＯＴＤＲ測定は、実施形態３と同様に行うことができる。
【００６１】
本実施形態の場合、試験心線選択に光スイッチが使われているため、収容替えでの切替作業でも２台のモニタ装置を接続することなく極めて簡便に行うことができる。操作端末２３は通信設備ビル９０内に置かれなくとも良いため、通信設備ビル９０外から容易に収容替え工事を行うことができる。
【００６２】
（実施形態５）
図１４に、本実施形態に係る光通信システムの一例を示す。本実施形態に係る光通信システムは、実施形態３で説明したモニタ用光カプラ１５及びモニタ用光カプラ１５Ｎの接続先が、共通のモニタ装置１４となっている。このように、モニタ用光カプラ１５Ｎの接続先を共通のモニタ装置１４とすることで、モニタ装置１４を複数台接続する必要なく簡便に行うことができる。
【産業上の利用可能性】
【００６３】
本発明は情報通信産業に適用することができる。
【符号の説明】
【００６４】
１１、１１Ｎ、１１−ｉ、１１−ｊ：光カプラ
１２、１２−ｉ、１２−ｊ、１２Ｎ：測定用の光ファイバ
１３、１３Ｎ：光測定器
１３−１：ＬＳ
１３−２：ＯＴＤＲ
１４、１４Ｎ：モニタ装置
１５、１５Ｎ：モニタ用光カプラ
１８：正常性確認端末
２１、２１−１、２１−２：光スイッチ
２２：コントローラ
２３：操作端末
２４：光スイッチ
１８：正常性確認端末
９０：通信設備ビル
９１、９１−ｉ：ＯＮＵ
９２、９２Ｎ、９２−ｉ、９２−ｊ：ＯＬＴ
９３、９３Ｎ、９３−ｉ、９３−ｊ：通信用光ファイバ
９４：支障移転先の通信用光ファイバ
【図１】
0005167321.tif 000002
【図２】
0005167321.tif 000003
【図３】
0005167321.tif 000004
【図４】
0005167321.tif 000005
【図５】
0005167321.tif 000006
【図６】
0005167321.tif 000007
【図７】
0005167321.tif 000008
【図８】
0005167321.tif 000009
【図９】
0005167321.tif 000010
【図１０】
0005167321.tif 000011
【図１１】
0005167321.tif 000012
【図１２】
0005167321.tif 000013
【図１３】
0005167321.tif 000014
【図１４】
0005167321.tif 000015
【図１５】
0005167321.tif 000016
【図１６】
0005167321.tif 000017
【図１７】
0005167321.tif 000018